(57)【要約】【課題】短時間で畜光作業を行うことができ、且つ外部への光の漏洩を防止することができる畜光器の提供。【解決手段】 この畜光器１０は、畜光塗料が塗布されたルアー等に畜光する。畜光器１０は、畜光器本体１１と、これに着脱されるカバー１２とを備えている。畜光器本体１１は、筐体１３と、これに内蔵された発光部１４とを有する。カバー１２は、筐体１３に対して着脱自在に嵌め込まれる。カバー１２は、反射板４２を備えており、発光部１４を囲繞する。筐体１３の上面にガラス板２６が嵌め込まれている。発光部１４から発せられた光は、ガラス板２６を通過してカバー１２内へ照射される。【選択図】図１
2007312650.tif 000002
【特許請求の範囲】
【請求項１】
開口及び当該開口に連続して収容室が区画形成されたケーシングと、
上記収容室の内奥部に配置された発光素子と、
上記収容室を開閉する扉とを有し、
当該扉の上記収容室の内側と対向する面は、光反射部材を備えている畜光器。
【請求項２】
光を発する発光部を有する畜光器本体と、
開口及び当該開口に連続して収容室が区画形成され且つ当該収容室の内壁面に光反射部材が設けられたカバーとを備え、
上記開口の周縁部は、上記発光部を囲繞し得る形状に形成されている畜光器。
【請求項３】
上記カバーは、上記発光部を囲繞する閉塞姿勢と開放する開放姿勢との間で姿勢変化可能な状態で上記畜光器本体に連結されている請求項２に記載の畜光器。
【請求項４】
光を発する発光部が前面に設けられた畜光器に着脱される畜光器用カバーであって、
上記発光部を囲繞し得る形状に形成された開口及び当該開口に連続して収容室が区画形成され且つ当該収容室の内壁面に光反射部材が設けられた畜光器用カバー。
【発明の詳細な説明】
【技術分野】
【０００１】
本発明は、例えばルアー等の釣具に付された畜光塗料に畜光するための畜光器の構造に関するものである。
【背景技術】
【０００２】
夜行性の魚をターゲットとするルアー釣りでは、発光するルアーが使用されることがある。ルアーを発光させるために、従来からルアーのボディに畜光塗料が付され、これが畜光器から光を受けることにより畜光し発光する。畜光器としては、一般にキセノン放電管を備えた発光装置が使用されている。ただし、本願出願時において、出願人が知る従来の畜光器に関する特許文献は存在しない。
【０００３】
図７は、従来の畜光器を用いてルアーに畜光する要領を示している。同図が示すように、従来の畜光器１は、発光部２を備えており、スイッチ３が操作されることによって発光部２から強い光４が瞬間的に発せられる。畜光されるルアー５は、例えばその表面に畜光塗料が塗布されている。そして、このルアー５が上記発光部２の前面に配置され、畜光器１から発せられる光４を受けることにより、畜光され発光する。
【発明の開示】
【発明が解決しようとする課題】
【０００４】
ところで、従来の畜光器１は、前述のようにキセノン放電管を備えており、きわめて強い光が瞬間的にルアー５に放射されるため、ルアー５の光が照射された部分は効果的に畜光されるが、それ以外の部分は畜光されない。したがって、ルアー５の全体に畜光させるためには、数回にわたってルアー５の周囲から光を照射する作業が必要であった。この作業は、実釣中に行われるものであるから、できる限り短時間で完了されるべきであるし、また、釣場において連続して畜光器１が発光すると、その光の一部が水中へと伝播し、ターゲットとなる魚の警戒心を煽ることにもなる。
【０００５】
そこで、本発明の目的は、外部への光の漏洩を防止し、短時間で畜光作業を行うことができる畜光器を提供することである。
【課題を解決するための手段】
【０００６】
(1) 上記目的が達成されるため、本発明に係る畜光器は、開口及び当該開口に連続して収容室が区画形成されたケーシングと、上記収容室の内奥部に配置された発光素子と、上記収容室を開閉する扉とを有する。当該扉の上記収容室の内側と対向する面は、光反射部材を備えている。
【０００７】
例えば、畜光塗料が塗布されたルアー等がケーシングの開口から収容室内へ収容された後、扉が閉じられる。この状態で上記ルアー等は、収容室の内壁面及び扉の内面（すなわち、上記収容室の内側と対向する面）により取り囲まれる。そして、発光素子が発光することによって、当該光が上記ルアー等の正面（発光素子と対向する面）に照射される。この光は当該ルアー等の背面側に配置された扉にも照射される。この扉には光反射部材が設けられているから、上記光は、扉で反射され、上記ルアー等の背面にも照射される。つまり、発光素子が１回のみ発光するだけで、ルアー等の全体に光が照射される。しかも、上記扉が閉じられることによって上記収容室から光りが漏洩することが防止される。
【０００８】
(2) また、上記目的が達成されるため、本発明に係る畜光器は、光を発する発光部を有する畜光器本体と、開口及び当該開口に連続して収容室が区画形成され且つ当該収容室の内壁面に光反射部材が設けられたカバーとを備える。上記開口の周縁部は、上記発光部を囲繞し得る形状に形成されている。
【０００９】
例えば、畜光塗料が塗布されたルアー等がカバーの開口から収容室内へ収容される。ルアー等を収容した状態で、カバーが畜光器本体に取り付けられる。具体的には、カバーの開口が畜光器本体の発光部を囲繞するように当該カバーが畜光器本体に被せられる。この状態で上記ルアー等は、上記発光部及び上記収容室の内壁面によって取り囲まれる。そして、発光部が発光することによって、当該光が上記ルアー等の正面（発光部と対向する面）に照射される。この光は上記収容室の内壁面にも照射される。この内壁面には光反射部材が設けられているから、上記光は、上記収容室の内壁面で反射され、上記ルアー等の背面にも照射される。つまり、上記発光部が１回のみ発光するだけで、上記ルアー等の全体に光が照射される。しかも、上記カバーによって上記発光部が取り囲まれるから、上記収容室から光りが漏洩することが防止される。
【００１０】
(3) 上記カバーは、上記発光部を囲繞する閉塞姿勢と開放する開放姿勢との間で姿勢変化可能な状態で上記畜光器本体に連結されていてもよい。
【００１１】
この構成では、上記カバーが常時畜光器本体に取り付けられているから、上記ルアー等への畜光作業が容易になる。具体的には、上記カバーが開放姿勢に変化されることにより、上記ルアー等が容易に上記収容室に収容される。そして、この状態で当該カバーが閉塞姿勢に変化されるだけで、上記ルアー等は、上記発光部及び上記収容室の内壁面によって取り囲まれる。収容室内のルアー等に光りが照射された後は、このカバーが再び開放姿勢に変化されるだけで、畜光されたルアー等が容易に取り出される。
【００１２】
(4) さらに、上記目的が達成されるため、本発明に係る畜光器用カバーは、光を発する発光部が前面に設けられた畜光器に着脱される畜光器用カバーである。この畜光器用カバーは、上記発光部を囲繞し得る形状に形成された開口及び当該開口に連続して収容室が区画形成され且つ当該収容室の内壁面に光反射部材が設けられている。
【００１３】
例えば、畜光塗料が塗布されたルアー等がカバーの開口から収容室内へ収容される。ルアー等を収容した状態で、カバーが畜光器本体に取り付けられる。具体的には、カバーの開口が畜光器本体の発光部を囲繞するように当該カバーが畜光器本体の前面に被せられる。この状態で上記ルアー等は、上記発光部及び上記収容室の内壁面によって取り囲まれる。そして、発光部が発光することによって、当該光が上記ルアー等の正面（発光部と対向する面）に照射される。この光は上記収容室の内壁面にも照射される。この内壁面には光反射部材が設けられているから、上記光は、上記収容室の内壁面で反射され、上記ルアー等の背面にも照射される。つまり、上記発光部が１回のみ発光するだけで、上記ルアー等の全体に光が照射される。しかも、上記カバーによって上記発光部が取り囲まれるから、上記収容室から光りが漏洩することが防止される。
【発明の効果】
【００１４】
本発明によれば、畜光塗料が付されたルアー等に対して効率的に光を照射することができるので、短時間で畜光作業を行うことができる。しかも、上記ルアー等に照射された光は、外部へ漏洩することが防止される。その結果、例えば釣場において畜光器が使用された場合であってもターゲットとなる魚の警戒心を煽ることがない。
【発明を実施するための最良の形態】
【００１５】
以下、適宜図面が参照されつつ、好ましい実施形態に基づいて本発明が詳細に説明される。
【００１６】
＜第１の実施形態＞
【００１７】
図１は、本発明の第１の実施形態に係る畜光器の斜視図である。また、図２は、図１におけるII−II断面図である。
【００１８】
この畜光器１０は、主として夜行性の魚をターゲットとした夜釣りの実釣において使用され、畜光塗料が塗布されたルアー、ワーム、シモリ玉、錘、テンヤ、ウキその他の釣道具に畜光し発光させるものである。
【００１９】
この畜光器１０は、畜光器本体１１と、これに着脱されるカバー１２（畜光器用カバー）とを備えている。
【００２０】
畜光器本体１１は、筐体１３と、筐体１３に内蔵された発光部１４とを有する。筐体１３は、例えば樹脂により構成される。筐体１３の外形形状は、直方体状に形成されている。筐体１３の内部に空洞２５が形成されており（図２参照）、この空洞２５に発光部１４が収容されている。本実施形態では、筐体１３が直方体状に形成されているが、内部に発光部１４を収容することができるものであれば、筐体１３の外形形状は特に限定されるものではない。
【００２１】
筐体１３の上面１５（前面）に矩形の開口１６が設けられている。この開口１６は、上記空洞２５に連通している。この開口１６の周縁部に矩形の枠体１７が設けられている。この枠体１７は、４つのリブ１８〜２１を有する。各リブ１８〜２１は、開口１６の４つの辺に沿って立設されている。筐体１３の上面１３に枠体１７が設けられることによって嵌合凸部２２が形成されている。この嵌合凸部２２に後に詳述されるカバー１２が嵌め合わされるようになっている。
【００２２】
発光部１４は、上記ガラス板２６と、放電管２３（発光素子）と、放電管２３に発光させる発光装置２４とを備えている。
【００２３】
ガラス板２６は、上記枠体１７に嵌め込まれている。ガラス板２６は透明であり、放電管２３から発せられた光は、このガラス板２６を通過する。放電管２３としては、たとえばキセノン放電管が採用され得る。発光装置２４は、発光回路を内蔵している。図３は、発光装置２４の発光回路の構成を示す図である。
【００２４】
この発光回路２７は、バッテリー２８と、ＤＣ−ＤＣコンバータ２９と、放電コンデンサ３０と、トリガ回路３１とを有し、このトリガ回路３１が上記放電管２３に接続されている。
【００２５】
バッテリー２８は、図示されていないが、例えば乾電池が採用され得る。ＤＣ−ＤＣコンバータ２９は、トランス３２、トランジスタ３３、抵抗３４及びダイオード３５を備えており、バッテリ２８の定格電圧を必要な電圧（例えば２５０Ｖ〜５００Ｖ程度）に昇圧する。昇圧される電圧は、バッテリ２８の定格電圧にトランス３２のコイル巻数を乗することにより決定される。
【００２６】
放電コンデンサ３０は、放電管２３の発光（フラッシュ）のためのエネルギーを貯える。放電コンデンサ３０は、一般に高耐圧の電解コンデンサが採用される。トリガ回路３１は、抵抗３６、コンデンサ３７、トリガトランス３８及びスイッチ３９を備えている。放電コンデンサ３０に十分なエネルギーが蓄えられた状態で、スイッチ３９がＯＮになると、放電コンデンサ３０に蓄えられたエネルギーが一気に放出され、トリガトランス３８を介して放電管２３にきわめて高い電圧が作用する。このスイッチ３９を操作するのが、筐体１３に設けられた操作ボタン４０（図１参照）である。そして、放電管２３に高電圧が印加されることにより、放電管２３が発光する。
【００２７】
図１及び図２が示すように、カバー１２は、外枠４１と、外枠４１に設けられた反射板４２（光反射部材）とを備えており、全体として略直方体状に形成されている。
【００２８】
外枠４１は、器状に形成されており、内部に収容室４５が区画形成されている。この収容室４５に上記ルアー等の釣道具が収容されるようになっている。外枠４１の下面４３に開口４４が設けられている。この開口４４は、上記収容室４５と連通している。この開口４４の内周面形状は矩形に形成されており、上記畜光器本体１１の枠体１７の外周面形状に対応されている。したがって、このカバー１２の開口４４が上記畜光器本体１１の枠体１７に嵌め込まれることにより、カバー１２の開口４４の内周面４６が上記枠体１７の外周面に当接し、カバー１２は、畜光器本体１１との間に隙間を形成することなく畜光器本体１１の上面１５に取り付けられる。換言すれば、カバー１２の開口４４の周縁部によって、上記発光部１４が囲繞されるようになっている。
【００２９】
図２が示すように、反射板４２は、外枠４１の内側に設けられている。この反射板４２は、例えば接着剤により外枠４１に固定されている。また、反射板４２は、光を効率よく反射することができ、同図が示すように湾曲面として形成されている。反射板４２は、薄肉の金属板により構成され得るが、表面に光を反射する塗料等が塗布された樹脂板により構成されていてもよい。このように反射板４２が外枠４１に取り付けられることにより、当該反射板４２によって上記収容室４５の内壁面が構成されている。もっとも、外枠４１の収容室４５の内壁面が上記湾曲面として構成され、当該内壁面に沿って反射板４２が取り付けられてもよいし、また、反射板４２の代わりに湾曲面として構成された収容室４５の内壁面に光を反射する塗料等（光反射部材）が塗布されてもよい。
【００３０】
この畜光器１０は、実釣において次のようにして使用される。
【００３１】
畜光塗料が塗布されたルアー４７等がカバー１２の開口４４から収容室４５内へ収容される。あるいは、このようなルアー４７等が畜光器本体１１のガラス板２６上に載置される。この状態でカバー１２が畜光器本体１１に取り付けられる。具体的には、カバー１２の開口４４が畜光器本体１１の外枠１７に嵌め込まれ、発光部１４がカバー１２によって囲繞される。これにより、上記ルアー４７等は、発光部１４及び収容室４５の内壁面によって取り囲まれる。
【００３２】
そして、発光部１４が発光することによって、当該光が上記ルアー４７等の正面、すなわち、発光部１４と対向する面に照射される。この光は収容室４５の内壁面にも照射され、当該内壁面で反射される。したがって、この反射された光は、上記ルアー４７等の背面にも照射される。つまり、上記発光部１４が１回のみ発光するだけで、上記ルアー４７等の全体に光が照射される。しかも、上記カバー１２によって発光部１４が取り囲まれているから、収容室４５から光りが漏れることはない。
【００３３】
このように、畜光塗料が付されたルアー４７等に対して効率的に光が照射されるので、釣人は、実釣において短時間で畜光作業を行うことができる。しかも、上記ルアー４７等に照射された光は、外部へ漏洩することが防止されるから、実釣において釣場で畜光器が使用された場合であってもターゲットとなる魚の警戒心を煽ることがない。
【００３４】
次に、本実施形態の変形例について説明される。
【００３５】
図４は、本実施形態の変形例に係る畜光器５０の断面図である。
【００３６】
上記実施形態では、図１が示すように、上記カバー１２は、畜光器本体１１に対して嵌め合わされ、また所望時に畜光器本体１１から取り外されるようになっている。これに対して本変形例に係る畜光器５０では、カバー１２が蝶番５１を介して畜光器本体１１に対してヒンジ結合されている。
【００３７】
このように、カバー１２が蝶番５１を介して畜光器本体１１に取り付けられているから、カバー１２は、同図において実線で示された姿勢、すなわち発光部１４を囲繞する閉塞姿勢と、同図において二点鎖線で示された姿勢、すなわち発光部１４を開放する開放姿勢との間で自在に姿勢変化することができる。
【００３８】
本変形例に係る畜光器５０では、上記ルアー４７等への畜光作業が一層容易になるという利点がある。詳述すれば、カバー１２が開放姿勢に変化されることにより、上記ルアー４７等が容易に上記ガラス板２６上に載置され、カバー１２の収容室４５に収容される。そして、この状態で当該カバー１２が閉塞姿勢に変化されるだけで、上記ルアー４７等は、上記発光部１４及び上記反射板４２によって取り囲まれる。収容室４５内のルアー４７等に光りが照射された後は、このカバー１２が再び開放姿勢に変化されるだけで、畜光されたルアー４７等が容易に取り出される。
【００３９】
また、上記実施形態では、カバー１２は、畜光器本体１１に適用されるように設計されている。すなわち、カバー１２の開口４４の形状は、筐体１３の上面１５の形状に対応されている。ただし、カバー１２は、他の畜光器に適用できるように設計変更され得るものである。要するに、カバー１２の開口４４の形状は、他の畜光器の発光部を囲繞し、発光部から発せられる光の漏洩を防止することができる構造であれば、他の構造が採用され得る。
【００４０】
＜第２の実施形態＞
【００４１】
次に、本発明の第２の実施形態について説明される。
【００４２】
図５は、本発明の第２の実施形態に係る畜光器の斜視図である。また、図６は、図５におけるVI−VI断面図である。
【００４３】
この畜光器６０は、上記第１の実施形態に係る畜光器１０と同様に、主として夜行性の魚をターゲットとした夜釣りの実釣において使用され、畜光塗料が塗布されたルアー等に畜光し発光させるものである。
【００４４】
この畜光器６０は、ケーシング６１と、ケーシング６１に内蔵された発光部６２と、ケーシングに６１に着脱自在に設けられた扉６３（光反射部材）とを備えている。
【００４５】
ケーシング６１は、本体６４と、枠体６５とを備えている。本体６４は、例えば樹脂により構成される。本体６４の外形形状は、直方体状に形成されている。本体６４の内部に空洞６６が形成されており（図６参照）、この空洞６６の中央部に発光部６２が収容されている。この本体６４は、本実施形態では直方体状に形成されているが、内部に発光部６２を収容することができるものであれば、本体６４の外形形状は特に限定されるものではない。
【００４６】
本体６４の上面は開放されており、開口７０が設けられている。この開口７０の内側周縁部に隔壁部材６７が取り付けられている。この隔壁部材６７は、図２が示すように、例えば接着剤により本体６４に固定されている。本実施形態では、上記開口７０近傍に本体６４の内側に突出する座部７１が設けられており、隔壁部材６７は、この座部７１上に載置されている。
【００４７】
この隔壁部材６７は薄肉の金属板により構成されており、同図が示すように、器状に湾曲形成されている。本実施形態では、隔壁部材６７の内面６８は、光を効率よく反射することができるように鏡面仕上げが施されている。もっとも、隔壁部材６７が樹脂により構成され、上記内面６８に光を反射する塗料等が塗布されていてもよい。このように隔壁部材６７が本体６４に取り付けられることにより、当該隔壁部材６７によって収容室６９が区画形成されている。この収容室６９に上記ルアー等が収容されるようになっている。また、隔壁部材６７の下端部に貫通孔７２が設けられている。この貫通孔７２は、図５が示すように、細長矩形状に形成されており、ケーシング６１の長手方向に延びている。この貫通孔７２には、ガラス板７３が嵌め込まれている。なお、このガラス板７３に代えて、光透過性に優れた樹脂板が設けられていてもよい。
【００４８】
枠体６５は、図５が示すように略Ｕ字状に形成されており、上記本体６４の上面に上記開口７０に沿って取り付けられている。この枠体６５を構成する材料は、金属のほか樹脂等も採用され得る。ただし、枠体６５を構成する材料は、本体６４を構成する材料と同一であるのが好ましい。、また、枠体６５の内周面７４に溝７５が設けられている。この溝７５は、枠体６５の内周面７４に沿って連続して形成されている。上記扉６３は、この溝７５に挿入されるようになっている。
【００４９】
扉６３は、矩形の平板状に形成されており、上記枠体６５の溝７５に挿入されることによって、当該枠体６５によって支持されるようになっている。扉６３が枠体６５に嵌め込まれることによって上記収容室６９が閉じられ、扉６３が枠体６５から抜脱されることによって上記収容室６９が開放される。収容室６９が開放されることにより、上記ルアー等は、開口７０を通して挿抜される。
【００５０】
扉６３は、薄肉の金属板により構成され、その肉厚寸法は、上記溝７５の幅寸法に対応されている。扉６３の裏面７６、すなわち、扉６３が枠体６５に嵌め込まれた状態で上記収容室６９の内側と対向する面は、光を効率よく反射することができるように鏡面仕上げが施されている。もっとも、扉６３が樹脂板からなり、上記裏面７６に光を反射する塗料等（光反射部材）が塗布されてもよい。
【００５１】
発光部６２は、放電管２３（発光素子）と、放電管２３に発光させる発光装置２４とを備えている。
【００５２】
この発光部６２は、放電管２３が上記隔壁部材６７のガラス板７３の真下に位置するように、上記本体６４の中央部に固定されている。言い換えれば、放電管２３は、上記収容室６９の内奥部に配置されており、放電管２３から発せられた光は、このガラス板７３を通過して上記収容室６９内へ導かれる。放電管２３としては、上記第１の実施形態と同様に、たとえばキセノン放電管が採用され得る。発光装置２４の構成は図３が示すとおりであって、上記第１の実施形態に係る発光装置２４と同様の構成であるから、その説明は省略される。
【００５３】
この畜光器６０は、実釣において次のようにして使用される。
【００５４】
図６が示すように、畜光塗料が塗布されたルアー４７等が本体６４の開口７０から収容室６９内へ収容される。そして、図５が示すように、扉６３が本体６４に嵌め込まれ、収容室６９が閉じられる。この状態で上記ルアー４７等は、収容室６９の内壁面、すなわち隔壁部材６７の内面６８と扉６３の裏面７６とによって取り囲まれる。放電管２３が発光することによって、当該光が隔壁部材６７に嵌め込まれたガラス板７３を通過して上記ルアー４７等の正面（放電管２３と対向する面）に照射される。この光は当該ルアー４７等の背面側に配置された扉６３にも照射される。この扉６３の裏面７６で当該光が反射され、上記ルアー４７等の背面にも照射される。
【００５５】
このように本実施形態に係る畜光器６０では、放電管２３が１回のみ発光するだけで、ルアー４７等の全体に光が照射される。したがって、畜光塗料が付されたルアー４７等に対して効率的に光が照射されるので、釣人は、実釣において短時間で畜光作業を行うことができる。しかも、発光時に上記扉６３が閉じられているので、上記収容室６９から光りが漏洩することが防止される。したがって、上記ルアー４７等に照射された光は、外部へ漏洩することが防止されるので、実釣において釣場で畜光器が使用された場合であってもターゲットとなる魚の警戒心を煽ることがない。
【産業上の利用可能性】
【００５６】
本発明は、畜光塗料が付された釣道具に光を照射する畜光器に適用され得る。
【図面の簡単な説明】
【００５７】
【図１】図１は、本発明の第１の実施形態に係る畜光器の斜視図である。
【図２】図２は、図１におけるII−II断面図である。
【図３】図３は、本発明の第１の実施形態に係る畜光器の発光回路の構成を示す図である。
【図４】図４は、本発明の第１の実施形態の変形例に係る畜光器の断面図である。
【図５】図５は、本発明の第２の実施形態に係る畜光器の斜視図である。
【図６】図６は、図５におけるVI−VI断面図である。
【図７】図７は、従来の畜光器を用いてルアーに畜光する要領を示す図である。
【符号の説明】
【００５８】
１０・・・畜光器
１１・・・畜光器本体
１２・・・カバー
１４・・・発光部
１６・・・開口
１７・・・枠体
２３・・・放電管
４２・・・反射板
４５・・・収容室
４７・・・ルアー
５０・・・畜光器
５１・・・蝶番
６０・・・畜光器
６１・・・ケーシング
６２・・・発光部
６３・・・扉
６７・・・隔壁部材
６８・・・内面
６９・・・収容室
７０・・・開口
７２・・・貫通孔
７３・・・・・・ガラス板
７４・・・内周面
７５・・・溝
７６・・・裏面
【図１】
2007312650.tif 000003
【図２】
2007312650.tif 000004
【図３】
2007312650.tif 000005
【図４】
2007312650.tif 000006
【図５】
2007312650.tif 000007
【図６】
2007312650.tif 000008
【図７】
2007312650.tif 000009